(57)【特許請求の範囲】
【請求項１】
光を拡散する機能を有し、内部空間を備える光拡散ユニットと、
前記光拡散ユニットの外側から内側に向けて光が入射するように、前記光拡散ユニットの外側に設けられた発光部と、
前記発光部が取り付けられ、前記発光部の前面に筐体開口部が形成された筐体と、
を備え、
前記光拡散ユニットは、
内周面に設けられ、前記発光部から出射される光を拡散する拡散膜を備え、
前記拡散膜は、
前記発光部に対向する部分が開口されて、前記発光部から出射される光を透過するアパーチャとなっており、
前記アパーチャの幅は、前記筐体開口部の幅よりも広い
ランプ。
【請求項２】
前記光拡散ユニットは、内部空間が真空である
請求項１記載のランプ。
【請求項３】
前記拡散膜は、拡散粒子を有する膜である
請求項１又は２記載のランプ。
【請求項４】
前記拡散粒子は、
平均粒径が０．０１μｍ〜２０．０μｍの金属酸化物、リン酸化合物、フッ化物、有機顔料、染料、硫酸バリウムのうち１種類以上を含有する
請求項３記載のランプ。
【請求項５】
前記金属酸化物は、
チタン、シリコン、アルミニウム、亜鉛、イットリウム、ランタン、マグネシウム、セリウム、ビスマス、銅、ニッケル、ガドリニウム、ジルコニウム及びバリウムからなる群から選択された少なくとも一つの酸化物を含有する
請求項４記載のランプ。
【請求項６】
前記リン酸化合物は、
ピロリン酸カルシウム及びピロリン酸ストロンチウムから選択された少なくとも一つの化合物を含有する
請求項４記載のランプ。
【請求項７】
前記フッ化物は、
フッ化マグネシウム、フッ化セリウム、フッ化バリウム、フッ化ストロンチウム及びフッ化アルミニウムから選択された少なくとも一つの化合物を含有する
請求項４記載のランプ。
【請求項８】
前記有機顔料は、
アゾ系顔料及び染付けレーキ顔料から選択された少なくとも一つの顔料を含有する
請求項４記載のランプ。
【請求項９】
前記染料は、
酸性染料及び塩基性染料から選択された少なくとも一つの染料を含有する
請求項４記載のランプ。
【請求項１０】
前記拡散膜は、無機成分のみを含有する
請求項１〜９のいずれか１項に記載のランプ。
【請求項１１】
前記拡散膜は、有機成分を含有する
請求項１〜９のいずれか１項に記載のランプ。
【請求項１２】
前記光拡散ユニットの外側に設けられ、前記発光部を収納する発光ユニットを有する請求項１〜１１のいずれか１項に記載のランプ
を備える照明装置。
【請求項１３】
前記発光ユニットは、
前記光拡散ユニットの側に設けられ、前記発光部から出射される光を反射する筐体反射部を備える
請求項１２記載の照明装置。
【請求項１４】
前記ランプは、
前記光拡散ユニットの外周面に設けられ、前記発光部から出射される光を反射する本体反射部を備える
請求項１２又は１３記載の照明装置。
【発明の詳細な説明】
【技術分野】
【０００１】
本発明は、光拡散ユニットを有するランプ及びそのランプを有する照明装置に関する。
【背景技術】
【０００２】
従来より、ガラス管等のユニット本体の内部に発光部が設けられたランプが知られている（特許文献１〜４参照）。また、特許文献４には、発光部（ＬＥＤ発光素子等）がフィルム基板に設けられたランプが開示されている。
【先行技術文献】
【特許文献】
【０００３】
【特許文献１】特開２０１２−９９４１４号公報（第８頁）
【特許文献２】特開２０１２−１６４５８２号公報（第５頁）
【特許文献３】特開２０１２−２３４７３０号公報（第６頁）
【特許文献４】実用新案登録第３１８４８９６号公報（請求項１）
【発明の概要】
【発明が解決しようとする課題】
【０００４】
しかしながら、特許文献１〜４に開示されたランプは、ガラス管等のユニット本体の内部に発光部が設けられているため、発光部からの熱がユニット本体に伝わり易い。このため、発光部の動作温度を抑制することを目的として、ユニット本体を介して十分に放熱することができるほどの熱容量を有する基台が設けられている。従って、ランプの小型化及び軽量化等が困難である。また、特許文献４に開示されたランプは、基台の代わりに、熱伝導性に優れた薄く柔軟性を有するフィルム基板を用いている。このため、製造コストがかかり、製造工程における量産性が悪化する。
【０００５】
本発明は、上記のような課題を背景としてなされたもので、小型化及び軽量化されると共に、製造コストを抑え、製造工程における量産性が良好である光拡散ユニットを有するランプ及びそのランプを有する照明装置を提供するものである。
【課題を解決するための手段】
【０００６】
本発明に係るランプは、光を拡散する機能を有し、内部空間を備える光拡散ユニットと、光拡散ユニットの外側から内側に向けて光が入射するように、光拡散ユニットの外側に設けられた発光部と、発光部が取り付けられ、発光部の前面に筐体開口部が形成された筐体と、を備え、光拡散ユニットは、内周面に設けられ、発光部から出射される光を拡散する拡散膜を備え、拡散膜は、発光部に対向する部分が開口されて、発光部から出射される光を透過するアパーチャとなっており、アパーチャの幅は、筐体開口部の幅よりも広い。
【発明の効果】
【０００７】
本発明によれば、発光部が光拡散ユニットの外側に設けられているため、ランプが小型化及び軽量化されると共に、製造コストを抑え、製造工程における量産性が良好となる。
【図面の簡単な説明】
【０００８】
【図１】本発明の実施の形態１に係るランプ１を示す軸方向断面図である。
【図２】本発明の実施の形態１に係るランプ１を示す周方向断面図である。
【図３】本発明の実施の形態２におけるランプ１００を示す軸方向断面図である。
【図４】本発明の実施の形態２におけるランプ１００を示す周方向断面図である。
【図５】本発明の実施の形態３に係る照明装置２００を示す斜視図である。
【図６】本発明の実施の形態３に係る照明装置２００を示す軸方向断面図である。
【図７】本発明の実施の形態３に係る照明装置２００を示す周方向断面図である。
【図８】本発明の実施の形態４に係る照明装置３００を示す軸方向断面図である。
【発明を実施するための形態】
【０００９】
以下、本発明に係る光拡散ユニット、ランプ及び照明装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１に係るランプ１を示す軸方向断面図、図２は、本発明の実施の形態１に係るランプ１を示す周方向断面図である。この図１、図２に基づいて、ランプ１について説明する。ランプ１は、図１、図２に示すように、光を拡散する機能を有する筒状の光拡散ユニット１ａと、光拡散ユニット１ａの外側に設けられた発光ユニット３とを備えている。
【００１１】
光拡散ユニット１ａは、例えばガラスからなる円筒状のユニット本体２と、ユニット本体２に設けられた拡散膜２１とを有する。なお、ユニット本体２の長さ、外径、内径の各寸法は、照明装置の仕様によって適宜設定される。また、ユニット本体２は、発光ユニット３に着脱自在に取り付けられている。
【００１２】
拡散膜２１は、ユニット本体２の周壁部１１の内周面１１ａに設けられており、光を拡散する機能を有している。この拡散膜２１は、例えば拡散粒子を有する膜であり、膜厚が５．０μｍ〜２０．０μｍとなるように塗布される。この拡散粒子は、例えば平均粒径が０．０１μｍ〜２０．０μｍの金属酸化物、リン酸化合物、フッ化物、有機顔料、染料、硫酸バリウムのうち１種類以上を含有している。このうち、金属酸化物は、チタン、シリコン、アルミニウム、亜鉛、イットリウム、ランタン、マグネシウム、セリウム、ビスマス、銅、ニッケル、ガドリニウム、ジルコニウム及びバリウムからなる群から選択された少なくとも一つの酸化物を含有している。また、リン酸化合物は、ピロリン酸カルシウム及びピロリン酸ストロンチウムから選択された少なくとも一つの化合物を含有している。更に、フッ化物は、フッ化マグネシウム、フッ化セリウム、フッ化バリウム、フッ化ストロンチウム及びフッ化アルミニウムから選択された少なくとも一つの化合物を含有している。更にまた、有機顔料は、アゾ系顔料及び染付けレーキ顔料から選択された少なくとも一つの顔料を含有している。そして、染料は、酸性染料及び塩基性染料から選択された少なくとも一つの染料を含有している。
【００１３】
なお、拡散膜２１は、有機成分及び無機成分を含有してもよいし、無機成分のみを含有してもよい。例えば、ＰＥＯ等の液状の樹脂に、酸化物からなる拡散剤が混合された塗液が、周壁部１１の内周面１１ａに塗布され、その後、約５００℃の温度で焼成されることにより、有機成分が除去される。これにより、無機成分のみを含有する拡散膜２１が形成される。また、拡散膜２１は、蛍光体又は量子ドットといった発光素子が混合されてもよい。これにより、光の色を調整することができる。
【００１４】
また、ユニット本体２には、拡散膜２１が形成されておらず開口し、光を透過するアパーチャ２２が形成されており、このアパーチャ２２は、発光ユニット３に対向した任意の位置に位置決めされている。なお、アパーチャ２２の幅Ｔ１は、照明装置の仕様によって適宜設定される。
【００１５】
ユニット本体２には、両端部を覆い、内部空間を真空封止する封止部材１２が設けられている。この封止部材１２によって、筒状のユニット本体２の両端部が塞がれ、ユニット本体２の内部空間が真空又は高真空状態に維持される。封止部材１２は、ユニット本体２の周壁部１１の内周面１１ａに拡散膜２１が形成された後、ユニット本体２の両端部を真空封止する。真空度は、例えばＪＩＳ基準で１００Ｐａ以下である。
【００１６】
発光ユニット３は、発光部４と、発光部４を収納する中空部を有しユニット本体２の長手方向に平行の方向（矢印Ｙ方向）に延びる四角柱状の筐体３０とを備える。
【００１７】
発光部４は、発光ユニット３の長手方向に平行の方向（矢印Ｙ方向）に延び、接着部材等を用いて取付部３１に取り付けられた基板４１と、基板４１に載置され、基板４１の長手方向に平行の方向（矢印Ｙ方向）に間隔を空けて配置された複数の光源４２と、給電線４４を取り付ける給電取付部４３とを備えている。基板４１の材質は、例えば、ガラス、ガラスエポキシ、紙フェノール、アルミニウム等の金属又はコンポジット等である。
【００１８】
光源４２は、発光ユニット３の内部に設けられており、この発光ユニット３は、ユニット本体２の周壁部１１に固定されている。即ち、光源４２は、ユニット本体２の外側に近接して配置されたものである。このように、本実施の形態１は、光源４２がユニット本体２の内側に設けられていないため、光源４２から生じる熱が、ユニット本体２の内部にこもらず、ユニット本体２の温度が上昇することが抑制される。従って、ランプ１の動作信頼性が向上する。また、光源４２を備える発光部４は、発光ユニット３に設けられており、即ち、発光部４は、ユニット本体２の外側から内側に向けて光が入射するように、ユニット本体２の外側に設けられている。
【００１９】
光源４２としては、例えば、発光ダイオード（ＬＥＤ）が用いられる。この場合、光源４２は、パッケージングされた部品が実装されたものでもよいし、チップが直接実装されたもの（ＣＯＢ）でもよい。また、光源４２は、発光ダイオードに限らず、有機ＥＬ、レーザダイオード（ＬＤ）等のほかの個体発光素子としてもよい。
【００２０】
給電取付部４３は、例えば基板４１の一端部に設けられており、点灯装置（電源回路）（図示せず）と基板４１とを電気的に接続する給電線４４が取り付けられる半田部となっている。給電線４４は、ランプ１の外部から光源４２に直流電力を供給し、光源４２を発光させる。なお、給電取付部４３は、半田付けのほかに、溶接、異方性導電フィルム（ＡＣＦ）又はコネクタ等として、給電線４４と接続されてもよい。また、基板４１に点灯装置（電源回路）を配置すること等により、点灯装置（電源回路）が、ランプ１の外部から交流電力の供給を受け、交流電力を直流電力に変換し、光源４２に直流電力を供給するようにすれば、給電取付部４３を省くこともできる。
【００２１】
筐体３０は、発光部４が取り付けられる取付部３１と、取付部３１に対向し、発光部４から入射される光を反射する筐体反射部３２とを有する。取付部３１は、筐体３０の一面であり、筐体反射部３２に対向する面に、発光部４が取り付けられている。また、筐体反射部３２の側の面とは反対側の面には、照明器具本体（図示せず）が取り付けられる。なお、取付部３１と照明器具本体とは、ネジ等を用いて取り付けられてもよいし、接着部材等を用いて取り付けられてもよい。発光部４が取付部３１に取り付けられることにより、発光部４における電子部品等が発する動作熱が、効率的に放散される。
【００２２】
筐体反射部３２は、発光部４から入射される光を反射するものであり、筐体３０の一面の取付部３１に対向した他面に設けられている。そして、筐体反射部３２の一面は、接触面３２ｂとなっており、この接触面３２ｂは、ユニット本体２の周壁部１１の外周面１１ｂに沿うように湾曲し、ユニット本体２の周壁部１１の外周面１１ｂに接触している。そして、発光ユニット３がユニット本体２に固定されている。なお、ユニット本体２と発光ユニット３とは、ネジ等を用いて固定されてもよいし、接着部材等を用いて固定されてもよい。
【００２３】
なお、筐体反射部３２の中央部には、筐体開口部３２ａが設けられ、筐体反射部３２の上方に発光部４が配置されている。これにより、発光部４からの光が、筐体開口部３２ａを通って、発光ユニット３から出射する。この筐体開口部３２ａと、ユニット本体２のアパーチャ２２とが重なるように、発光ユニット３がユニット本体２に固定されている。これにより、発光部４からの光は、筐体開口部３２ａ及びアパーチャ２２を通過して、ユニット本体２の内部に入射される。なお、筐体開口部３２ａの幅Ｔ２及び形状は、照明装置の仕様によって適宜設定される。本実施の形態１では、アパーチャ２２の幅Ｔ１は、筐体開口部３２ａの幅Ｔ２よりも広く（Ｔ１＞Ｔ２）なるように設定されている。これにより、発光部４からの光の進行に伴う光の広がりに対応することができる。
【００２４】
なお、筐体開口部３２ａを通過しない光は、筐体反射部３２により、拡散膜２１側に誘導される。これにより、光の利用効率が向上する。また、発光部４が防水仕様又は防湿仕様とされる場合、筐体開口部３２ａといった発光ユニット３の内部と外部とが接続される部分を、透明又は高透光性の部材を用いて封止してもよい。その際、透明又は高透光性の部材として、多孔質材料が用いられれば、通気性を確保することができる。
【００２５】
ユニット本体２の周壁部１１の外周面１１ｂにおいて、発光ユニット３と接触している部分以外の部分には、ユニット保持部１７が設けられている。ユニット保持部１７は、ユニット本体２が天井等から落下することを防止する。このユニット保持部１７は、ユニット本体２の両端部を覆う２個の封止部材１２を挟持するように設けられている。また、このユニット保持部１７における基板４１に隣接した部分には、給電線４４が挿通される保持通線孔１７ａが設けられている。
【００２６】
次に、本実施の形態１に係るランプ１の作用について説明する。ランプ１は、ユニット本体２の内部が真空であり、外気とも接触しない。このため、ランプ１が長時間使用されても、拡散膜２１の表面は劣化せず、表面から内部に劣化が進行することもない。また、ランプ１は、ユニット本体２の内部が真空であるため、ユニット本体２の内部は、ユニット本体２の外部と隔離されている。このため、ランプ１が、湿度が高い場所で使用されても、ユニット本体２の内部に水分が進入せず、拡散膜２１は水分を吸収しない。従って、高い光拡散性を維持しつつ、光束が低下せず、光の粒状感を良好に保つことができる。
【００２７】
また、ユニット本体２は、発光ユニット３に着脱自在に取り付けられている。このため、ユニット本体２を交換しようとする場合、発光ユニット３の内部に収容された発光部４の交換を伴うことなく、ユニット本体２を交換することができる。また、使用環境が変化しても、発光ユニット３を取り外さずそのままで、ユニット本体２のみを取り外し、使用環境に適したユニット本体２を取り付けるだけで済む。このように、ランプ１は、使用環境の変化への対応性が向上し、また、容易に交換することができる。
【００２８】
更に、ランプ１は、発光部４が、ユニット本体２の外側に設けられている。このため、発光部４と拡散膜２１の表面との距離が長い。これにより、光の拡散性が向上する。また、発光部４と拡散膜２１の表面との距離が長いため、発光部４がユニット本体２の内部に収容される場合よりユニット本体２の径を小さくしても、光の拡散性を維持することができる。即ち、ユニット本体２を構成するガラス材料等の使用量を軽減し、ランプ１の軽量化が実現できる。
【００２９】
実施の形態２．
次に、本実施の形態２に係るランプ１００について説明する。図３は、本発明の実施の形態２におけるランプ１００を示す軸方向断面図、図４は、本発明の実施の形態２におけるランプ１００を示す周方向断面図である。実施の形態２は、封止部材１２を口金１５０としている点で、実施の形態１と相違する。本実施の形態２では、実施の形態１と共通する部分は同一の符号を付して説明を省略し、実施の形態１との相違点を中心に説明する。
【００３０】
図３、図４に示すように、ユニット本体１０２は、両端部が、縮径されたネック部１１３となっており、ネック部１１３は、周壁部１１から屈曲するネック基部１１４と、ネック基部１１４からユニット本体１０２の最端部に延びるネック端部１１５とを備えている。なお、ユニット本体１０２の端部は、ネックフォームに限らず、ストレートフォームとしてもよい。また、ユニット本体１０２の周壁部１１の外周面１１ｂには、ユニット本体１０２の長手方向に平行の方向（矢印Ｙ方向）に延び、円弧状の２個の本体反射部１１６が設けられている。この本体反射部１１６は、ユニット本体１０２に発光ユニット３が取り付けられた場合、発光ユニット３に収納された発光部４からの光を反射するものである。
【００３１】
本実施の形態２では、ユニット本体１０２の両端部を覆う封止部材１２が口金１５０である。口金１５０は、ユニット本体１０２の両端部に取り付けられる口金筐体１５１と、口金筐体１５１から突出する口金端子１５６とを備えている。口金筐体１５１は、ユニット本体１０２のネック端部１１５に嵌合する筐体筒部１５２と、筐体筒部１５２の一端部を塞ぐ筐体蓋部１５３とを備えている。ユニット本体１０２のネック端部１１５と筐体筒部１５２とは、接着部材１５７を用いて嵌合される。なお、接着部材１５７は、接着用の粘着テープにて代用してもよく、パッキン等が追加されてもよい。また、筐体蓋部１５３は、周縁部に形成されネック端部１１５の先端が挿入される蓋凹部１５４と、蓋凹部１５４以外の部分である蓋凸部１５５とを備えている。そして、口金端子１５６は、筐体蓋部１５３から突出する２個の部材であり、照明装置のソケット（図示せず）に装着される。
【００３２】
なお、口金１５０は、従来の直管蛍光ランプ又は従来の直管ＬＥＤランプ等を、一般的な照明器具に取り付けるために用いられる（標準規格に基づく）Ｇ１３、ＧＸ１６タイプ等の多様な構造（形状）から適宜選択することができる。また、本実施の形態２は、実施の形態１のように、発光部４が、給電線４４から給電する構成であるため、口金１５０から給電する必要はない。この場合、口金１５０において、電気的な接続は不要である。なお、発光部４が口金１５０から給電されるように構成してもよい。
【００３３】
本実施の形態２は、封止部材１２を口金１５０として、ユニット本体１０２の内部を真空状態に維持しているため、実施の形態１と同様の効果を奏する。更に、口金１５０は、従来の直管蛍光ランプ又は従来の直管ＬＥＤランプ等に用いられるものと同等であるため、ランプ１００は、従来の照明器具に取付けることができる。このように、ランプ１００は、汎用性が高く、また、容易に交換することができる。
【００３４】
実施の形態３．
次に、本実施の形態３に係る照明装置２００について説明する。図５は、本発明の実施の形態３に係る照明装置２００を示す斜視図、図６は、本発明の実施の形態３に係る照明装置２００を示す軸方向断面図である。図７は、本発明の実施の形態３に係る照明装置２００を示す周方向断面図である。本実施の形態３に係る照明装置２００は、実施の形態２に係るランプ１００を照明器具本体２０５に取り付けたものである。本実施の形態３では、実施の形態１、２と共通する部分は同一の符号を付して説明を省略し、実施の形態１、２との相違点を中心に説明する。
【００３５】
本実施の形態３において、図５、図６、図７に示すように、照明装置２００は、照明器具本体２０５と、点灯装置２０６と、ソケット２０７と、ランプ１００とを備えている。照明器具本体２０５は、ランプ１００のユニット本体１０２の長手方向に平行の方向（矢印Ｙ方向）に延びる直方体状の箱体であり、天井等に取り付けられる。照明器具本体２０５における基板４１に隣接した部分には、給電線４４が挿通される器具通線孔２０５ａが設けられている。
【００３６】
点灯装置２０６は、発光部４に給電して、光源４２を点灯させるための点灯回路（電源回路）を収納する直方体状の箱体であり、照明器具本体２０５の内部に収納されている。なお、発光部４の基板４１に点灯回路（電源回路）を配置して、点灯装置２０６（電源回路）が、ランプ１００の外部から交流電力の供給を受け、交流電力を直流電力に変換し、光源４２に直流電力を供給するように構成されてもよい。
【００３７】
ソケット２０７は、照明器具本体２０５の両端部から突出する半円柱状の部材であり、ランプ１００の両端部に設けられた口金１５０が装着されるものである。このソケット２０７は、照明器具に取り付けるために用いられる（標準規格に基づく）Ｇ１３、ＧＸ１６タイプ等の多様な構造（形状）の口金１５０に対応している。
【００３８】
ランプ１００は、実施の形態２におけるユニット本体１０２に、発光ユニット２０３が取り付けられたものである。実施の形態３における発光ユニット２０３は、形状が、実施の形態１と相違する。発光ユニット２０３は、中空部を備え、ユニット本体１０２の長手方向に平行の方向（矢印Ｙ方向）に延びる四角柱状の部材であり、内部に発光部４が収納されている。発光ユニット２０３におけるユニット本体１０２に対向する一面は、対向部３３であり、ユニット本体１０２に固定されていない。
【００３９】
また、発光ユニット２０３において、対向部３３に対向する面は、対向部３３の側の一面が、発光部４を取り付ける取付部３１となっている。また、取付部３１の他面には、照明器具本体２０５が取り付けられる。なお、取付部３１と照明器具本体２０５とは、ネジ等を用いて取り付けられてもよいし、接着部材等を用いて取り付けられてもよい。また、発光ユニット２０３において、対向部３３以外の構成は、実施の形態１と共通する。光源４２は、器具通線孔２０５ａに挿通された給電線４４から給電され、発光する。
【００４０】
ユニット本体１０２の周壁部１１の外周面１１ｂに設けられた本体反射部１１６は、実施の形態１における筐体反射部３２と同様に、発光部４から出射される光を反射するものである。そして、本体反射部１１６は、筐体開口部３２ａを通過しない光を、拡散膜２１の側に反射させて誘導する。これにより、光の利用効率が向上する。なお、発光ユニット２０３は、照明器具本体２０５と一体的に形成されてもよい。この場合、照明器具本体２０５にランプ１００が取り付けられたとき、ランプ１００におけるアパーチャ２２と、筐体開口部３２ａに相当する部分（図示せず）とが重なるように、照明器具本体２０５にランプ１００が取り付けられる。
【００４１】
本実施の形態３は、ソケット２０７が、一般的な照明器具に取り付けるために用いられる（標準規格に基づく）Ｇ１３、ＧＸ１６タイプ等の多様な構造（形状）の口金１５０に対応している。そして、ランプ１００における口金１５０は、従来の直管蛍光ランプ又は従来の直管ＬＥＤランプ等を、一般的な照明器具に取り付けるために用いられる（標準規格に基づく）Ｇ１３、ＧＸ１６タイプ等の多様な構造（形状）から適宜選択されるものである。このため、ランプ１００は、従来の照明器具に取付けることができる。このように、ランプ１００は、汎用性が高く、また、容易に交換することができる。
【００４２】
実施の形態４．
次に、本実施の形態４に係る照明装置３００について説明する。図８は、本発明の実施の形態４に係る照明装置３００を示す軸方向断面図である。本実施の形態４は、発光ユニット３０３とソケット３０７とが一体的に形成されている点で、実施の形態３と相違する。本実施の形態４では、実施の形態１、２、３と共通する部分は同一の符号を付して説明を省略し、実施の形態１、２、３との相違点を中心に説明する。
【００４３】
図８に示すように、実施の形態４では、発光ユニット３０３とソケット３０７とが一体的に形成されている。これにより、製造効率の改善、製造コストの低減及び照明装置３００の設置効率の改善等の効果を奏する。
【００４４】
実施の形態３に係る照明装置２００、実施の形態４に係る照明装置３００は、実施の形態２に係るランプ１００を用いているが、実施の形態１に係るランプ１を用いてもよい。
【符号の説明】
【００４５】
１  ランプ、１ａ  光拡散ユニット、２  ユニット本体、３  発光ユニット、４  発光部、１１  周壁部、１１ａ  内周面、１１ｂ  外周面、１２  封止部材、１７  ユニット保持部、１７ａ  保持通線孔、２１  拡散膜、２２  アパーチャ、３０  筐体、３１  取付部、３２  筐体反射部、３２ａ  筐体開口部、３２ｂ  接触面、３３  対向部、４１  基板、４２  光源、４３  給電取付部、４４  給電線、１００  ランプ、１０２  ユニット本体、１１３  ネック部、１１４  ネック基部、１１５  ネック端部、１１６  本体反射部、１５０  口金、１５１  口金筐体、１５２  筐体筒部、１５３  筐体蓋部、１５４  蓋凹部、１５５  蓋凸部、１５６  口金端子、１５７  接着部材、２００  照明装置、２０３  発光ユニット、２０５  照明器具本体、２０５ａ  器具通線孔、２０６  点灯装置、２０７  ソケット、３００  照明装置、３０３  発光ユニット、３０７  ソケット。
【図１】
0006544895.tif 000002
【図２】
0006544895.tif 000003
【図３】
0006544895.tif 000004
【図４】
0006544895.tif 000005
【図５】
0006544895.tif 000006
【図６】
0006544895.tif 000007
【図７】
0006544895.tif 000008
【図８】
0006544895.tif 000009